(57)【要約】【課題】  縦枠が内側に傾斜する幼児用サークルであって、下枠の省略が可能な幼児用サークルを提供する。【解決手段】  本発明の一態様に係る幼児用サークル１００は、環状に配置され内側に傾斜する複数の縦枠１０と、隣り合う縦枠１０を渡すように張られメッシュ部５１を有する側面シート５０と、底面に位置する非伸縮性の底面シート６０と、を備え、各縦枠１０の下端部分は非伸縮性の底面シート６０に固定され外側への移動が制限されている。【選択図】図１
2019030388.tif 000002
【特許請求の範囲】
【請求項１】
環状に配置され、それぞれが内側に傾斜する複数の縦枠と、
隣り合う縦枠を渡すように張られメッシュ部を有する側面シートと、
底面に位置する非伸縮性の底面シートと、を備え、
各縦枠の下端部分は前記非伸縮性の底面シートに固定され外側への移動が制限されている、幼児用サークル。
【請求項２】
円形であって各縦枠を受ける複数の接地部材を更に備え、
各縦枠は前記接地部材のうち中心から内側にずれた部分に固定されている、請求項１に記載の幼児用サークル。
【請求項３】
隣り合う縦枠を連結する第１連結部材及び第２連結部材を更に備え、
前記第１連結部材は、隣り合う縦枠のうち一方の縦枠の上端部分に一端が回動可能に接続され、隣り合う縦枠のうち他方の縦枠に他端が上下移動可能に接続されており、
前記第２連結部材は、前記他方の縦枠の上端部分に一端が回動可能に接続され、前記一方の縦枠に他端が上下移動可能に接続されている、請求項１又は２に記載の幼児用サークル。
【請求項４】
前記側面シート及び前記底面シートが一体に形成されているとともに、各縦枠に対して取外し可能に構成されている、請求項１乃至３のうちいずれか一の項に記載の幼児用サークル。
【発明の詳細な説明】
【技術分野】
【０００１】
本発明は、幼児の移動を制限する幼児用サークルに関する。
【背景技術】
【０００２】
幼児用サークルは複数のパネルを環状に連結して構成されるものの他、軽量化を図るためにパネルに代えて上枠、下枠、及び縦枠からなる骨組みにメッシュシートを張って構成した軽量型のものも市販されている。ただし、軽量型の幼児用サークルは、幼児が内側から側面を押したときに転倒するおそれがあることから、下記の特許文献１では、側面を内側に傾斜させて転倒しにくくしたものが提案されている。
【先行技術文献】
【特許文献】
【０００３】
【特許文献１】特開２０１６−１９６７６号公報
【発明の概要】
【発明が解決しようとする課題】
【０００４】
ここで、上述した軽量型の幼児用サークルから下枠を無くすことができれば、側面に出入口を設けたときに幼児がつまずきにくく、また、一層の軽量化を図ることができる。ところが、側面を内側に傾斜させた幼児用サークルは、縦枠が内側に傾斜しているため、下枠を無くしてしまうと縦枠の下端部分が外側に広がって全体の形状を保つことができなくなるおそれがある。また、縦枠同士がメッシュシートで連結されているとしても、メッシュシートは伸びやすいため、縦枠の下端部分が外側に広がるのを抑制することはできない。
【０００５】
本発明は、以上のような事情に鑑みてなされたものであり、縦枠が内側に傾斜した幼児用サークルであって、下枠の省略が可能な幼児用サークルを提供することを目的としている。
【課題を解決するための手段】
【０００６】
本発明の一態様に係る幼児用サークルは、環状に配置され、それぞれが内側に傾斜する複数の縦枠と、隣り合う縦枠を渡すように張られメッシュ部を有する側面シートと、底面に位置する非伸縮性の底面シートと、を備え、各縦枠の下端部分は前記非伸縮性の底面シートに固定され外側への移動が制限されている。
【０００７】
この構成によれば、非伸縮性の底面シートによって各縦枠の下端部分の外側への移動が制限されるため、下枠がなくとも幼児用サークル全体の形状を維持することができる。
【０００８】
上記の幼児用サークルにおいて、円形であって各縦枠を受ける複数の接地部材を更に備え、各縦枠は前記接地部材のうち中心から内側にずれた部分に固定されていてもよい。
【０００９】
この構成によれば、縦枠から接地部材に力が加わったときに、接地部材の中心よりも内側の部分が床から浮き上がるのを抑制することができる。その結果、接地部材全体が床に接触し滑りにくくなることで、縦枠の下端部分が外側へ移動するのを抑制することができる。
【００１０】
上記の幼児用サークルにおいて、隣り合う縦枠を連結する第１連結部材及び第２連結部材を更に備え、前記第１連結部材は、隣り合う縦枠のうち一方の縦枠の上端部分に一端が回動可能に接続され、隣り合う縦枠のうち他方の縦枠に他端が上下移動可能に接続されており、前記第２連結部材は、前記他方の縦枠の上端部分に一端が回動可能に接続され、前記一方の縦枠に他端が上下移動可能に接続されるように構成してもよい。
【００１１】
この構成によれば、第１連結部材の他端及び第２連結部材の他端が縦枠に沿って上下に移動することで、第１連結部材及び第２連結部材がそれぞれ回動し、幼児用サークルを折り畳むことができる。特に、上記の幼児用サークルは下枠を有していないため、幼児用サークルを小さく折り畳むことができる。
【００１２】
上記の幼児用サークルにおいて、前記側面シート及び前記底面シートが一体に形成されているとともに、各縦枠に対して取外し可能に構成されていてもよい。
【００１３】
この構成によれば、側面シートと底面シートを縦枠から取り外して洗うことができるため、幼児用サークルを清潔に保つことができる。
【発明の効果】
【００１４】
上記の幼児用サークルによれば、縦枠が内側に傾斜するにもかかわらず、下枠を省略することができる。
【図面の簡単な説明】
【００１５】
【図１】図１は、幼児用サークルの斜視図である。
【図２】図２は、幼児用サークルの側面図である。
【図３】図３は、幼児用サークルの骨組みを示す図である。
【図４】図４は、折畳む途中の状態における幼児用サークルの骨組みを示す図である。
【図５】図５は、折畳まれた状態における幼児用サークルの骨組みを示す図である。
【発明を実施するための形態】
【００１６】
以下、本発明の実施形態について図を参照しながら説明する。以下では、全ての図面を通じて同一又は相当する要素には同じ符号を付して、重複する説明は省略する。
【００１７】
図１は幼児用サークル１００の斜視図であり、図２は幼児用サークル１００の側面図であり、図３は幼児用サークル１００の骨組みを示す図である。
【００１８】
図１乃至図３に示すように、本実施形態に係る幼児用サークル１００は、縦枠１０と、接地部材２０と、第１連結部材３０と、第２連結部材４０と、側面シート５０と、底面シート６０と、外部カバー７０と、を備えている。以下、これらの各構成要素について順に説明する。
【００１９】
縦枠１０は、略鉛直方向に延びる部材である。本実施形態に係る幼児用サークル１００は６つの縦枠１０を備えており、これらが環状に配置されている。具体的には、各縦枠１０は平面視において正六角形の頂点にあたる位置に配置されている。ただし、縦枠１０の個数は６つに限定されず、６つより多くてもよく少なくてもよい。図３に示すように縦枠１０の上方部分には、凹部１１及び凸部１２からなるスナップボタンの凹部１１が設けられている。なお、スナップボタンの凸部１２は、外部カバー７０に設けられている。
【００２０】
ここで、以下では、縦枠１０で囲まれたエリアの中心に近い側を「内側」と称し、縦枠１０で囲まれたエリアの中心から遠い側を「外側」と称する。そうすると、各縦枠１０は内側にわずかに傾斜している。つまり、各縦枠１０は、上端部分が下端部分よりも内側に位置している。このように、各縦枠１０を内側に傾斜させることにより、幼児用サークル１００の側面が内側に傾斜し、幼児用サークル１００は倒れにくくなる。また、各縦枠１０は内側に傾斜しているため、縦枠１０の下端部分には外側に広がろうとする力が働く。ただし、後述する非伸縮性の底面シート６０によって縦枠１０の下端部分が外側に広がらないようにしている。この点については後述する。
【００２１】
接地部材２０は、縦枠１０を受ける部材である。本実施形態では、全ての縦枠１０の下端部分に接地部材２０が設けられている。接地部材２０は、平面視において円形であり、下面が水平で、上面が上方に凸の曲面を有している。また、縦枠１０は接地部材２０の中心ではなく、接地部材２０の中心から内側にずれた部分に固定されている。
【００２２】
上記のとおり、縦枠１０は内側に傾斜しているため、仮に縦枠１０が接地部材２０の中心に固定されていると、縦枠１０から接地部材２０に力が加わったときに、接地部材２０の内側の部分が浮き上がるおそれがある。これに対し、本実施形態では、縦枠１０が接地部材２０の中心から内側にずれた部分に固定されているため、接地部材２０の浮き上がりが抑えられ、接地部材２０の全体を床に接触させることができる。その結果、接地部材２０が滑りにくくなり、縦枠１０の下端部分が外側に移動するのを抑制することができる。
【００２３】
第１連結部材３０及び第２連結部材４０は、隣り合う縦枠１０を連結する部材である。図３に示すように、第１連結部材３０は第２連結部材４０よりも内側に位置しており、第２連結部材４０は第１連結部材３０よりも外側に位置している。また、第１連結部材３０と第２連結部材４０は、それらの長手方向中央が互いに回動可能に接続されている。なお、以下では、幼児用サークル１００を外側から見たときの右を単に「右」とし、左を単に「左」として説明する。また、ある１組の第１連結部材３０及び第２連結部材４０と、それらの左右に位置する縦枠１０に着目して説明する。例えば、「右側の縦枠１０」という場合、説明対象である第１連結部材３０及び第２連結部材４０によって連結される左右の縦枠１０のうちの右側の縦枠１０を意味するものとする。
【００２４】
第１連結部材３０の右端は、右側の縦枠１０の上端部分に回動可能に接続されている。具体的には、右側の縦枠１０の上端部分には固定支持部材３１が設けられており、第１連結部材３０の右端がこの固定支持部材３１に接続されている。固定支持部材３１は左右の縦枠１０を含む平面に対して垂直な方向に延びる第１固定支持軸３２を有しており、第１連結部材３０の右端はこの第１固定支持軸３２に回動可能に支持されている。これにより、第１連結部材３０は第１固定支持軸３２を回動中心として回動する。
【００２５】
一方、第１連結部材３０の左端は、左側の縦枠１０に上下移動可能に接続されている。具体的には、左側の縦枠１０には、当該縦枠１０に沿って移動する移動支持部材３３が設けられており、第１連結部材３０の左端がこの移動支持部材３３に接続されている。移動支持部材３３は左右の縦枠１０を含む平面に対して垂直な方向に延びる第１移動支持軸３４を有しており、第１連結部材３０の左端はこの第１移動支持軸３４に回動可能に支持されている。これにより、第１連結部材３０の左端は左側の縦枠１０に沿って上下に移動する。
【００２６】
第２連結部材４０の左端は、左側の縦枠１０の上端部分に回動可能に接続されている。具体的には、左側の縦枠１０の上端部分には固定支持部材３１が設けられており、第２連結部材４０の左端がこの固定支持部材３１に接続されている。固定支持部材３１は左右の縦枠１０を含む平面に対して垂直な方向に延びる第２固定支持軸３５を有しており、第２連結部材４０の左端はこの第２固定支持軸３５に回動可能に支持されている。これにより、第２連結部材４０は第２固定支持軸３５を回動中心として回動する。
【００２７】
一方、第２連結部材４０の右端は、右側の縦枠１０に上下移動可能に接続されている。具体的には、右側の縦枠１０には、当該縦枠１０に沿って移動する移動支持部材３３が設けられており、第２連結部材４０の右端がこの移動支持部材３３に接続されている。移動支持部材３３は左右の縦枠１０を含む平面に対して垂直な方向に延びる第２移動支持軸３６を有しており、第２連結部材４０の左端はこの第２移動支持軸３６に回動可能に支持されている。これにより、第２連結部材４０の右端は右側の縦枠１０に沿って上下に移動する。
【００２８】
なお、第１連結部材３０と第２連結部材４０は互いに干渉しないように、第１連結部材３０は長手方向中央を含む部分が内側に凸となるように屈曲しており、第２連結部材４０は長手方向中央を含む部分が外側に凸となるように屈曲している。なお、図３に示すように、固定支持部材３１の下方には前述したスナップボタンの凹部１１が位置しており、この凹部１１の下方には移動支持部材３３が位置している。
【００２９】
ここで、図４は、折畳む途中の状態における幼児用サークル１００の骨組みを示す図である。また、図５は、折畳まれた状態における幼児用サークル１００の骨組みを示す図である。図３乃至図５に示すように、移動支持部材３３が下方に移動すると、第１連結部材３０及び第２連結部材４０が回動して、隣り合う縦枠１０が接近し、幼児用サークル１００を折畳むことができる。なお、移動支持部材３３は、移動支持部材３３が移動できる状態と移動できない状態を切り替える切替部３７を有している。つまり、移動支持部材３３は、ロック機構として機能する切替部３７を有している。
【００３０】
以上のとおり、本実施形態に係る幼児用サークル１００は折畳むことができるように構成されているが、本実施形態に係る幼児用サークル１００は下枠を有していないため、非常に小さく折り畳むことができる。なお、図３乃至図５では、幼児用サークル１００の骨組みのみを図示しているが、縦枠１０に側面シート５０等が取り付けられた状態であっても、幼児用サークル１００を折り畳むことができる。
【００３１】
側面シート５０は、幼児用サークル１００の側面を形成するシートである。側面シート５０は帯状に形成されており、各縦枠１０よりも内側において、隣り合う縦枠１０を渡すように張られている。また、側面シート５０はメッシュ生地によって形成された矩形のメッシュ部５１を複数有している。本実施形態では、縦枠１０と縦枠１０の間のエリアである枠間が６カ所存在するが、このうち５か所枠間に対応する位置にそれぞれメッシュ部５１が配置されている。
【００３２】
また、側面シート５０は開口面５２を有しており、残りの１か所の枠間に対応する位置にこの開口面５２が配置されている。また、図２に示すように、開口面５２はファスナによって開閉できるように構成されており、開口面５２を開けた状態において、幼児はこの開口面５２から幼児用サークル１００に出入りすることができる。なお、本実施形態に係る幼児用サークル１００は下枠を有していないため、幼児が出入りする際に下枠につまずくこともない。
【００３３】
底面シート６０は、幼児用サークル１００の底面に位置する非伸縮性のシートである。底面シート６０は、平面視において正六角形の形状を有しており、外周縁が側面シート５０の下縁と直接接続されている。さらに、底面シート６０の正六角形の頂点にあたる部分は、接続テープ６１を介して各縦枠１０の下端部分に固定されている。なお、接続テープ６１は、縦枠１０に対して取外しできるように構成されている。そのため、底面シート６０は縦枠１０に対して取り外しすることができる。
【００３４】
ここで、前述のとおり各縦枠１０は内側に傾斜していることから、縦枠１０の下端部分には外側に向かう力が働く。しかも、本実施形態に係る幼児用サークル１００は、下枠を有していないため、下枠によって縦枠１０の下端部分の外側への広がりを抑えることができない。しかしながら、本実施形態に係る幼児用サークル１００は、各縦枠１０の下端部分が非伸縮性の底面シート６０によって接続されているため、各縦枠１０の下端部分の外側への移動が制限される。その結果、幼児用サークル１００は、下枠を有しないにもかかわらず、縦枠１０の下端部分が外側に移動せず全体の形状を維持することができる。
【００３５】
外部カバー７０は、縦枠１０よりも外側に位置するカバーである。外部カバー７０は、第１連結部材３０及び第２連結部材４０を外側から覆うようにして帯状に形成されており、上縁部分が側面シート５０の上縁部分に接続されている。そのため、側面シート５０、底面シート６０、及び外部カバー７０は一体に形成されている。また、上述したように、外部カバー７０には、縦枠１０に設けられた凹部１１に対応するスナップボタンの凸部１２が設けられている。これにより、外部カバー７０は、スナップボタンを介して縦枠１０に対して取り付けできるとともに取り外しすることができる。
【００３６】
以上のとおり、側面シート５０、底面シート６０、及び外部カバー７０は一体に形成されており、これら全体が各縦枠１０に対して取外し可能に取り付けられている。そのため、本実施形態によれば、側面シート５０、底面シート６０、及び外部カバー７０を縦枠１０から取外して洗うことができ、幼児用サークル１００を清潔に保つことができる。
【符号の説明】
【００３７】
１０  縦枠
２０  接地部材
３０  第１連結部材
４０  第２連結部材
５０  側面シート
５１  メッシュ部
６０  底面シート
７０  外部カバー
１００  幼児用サークル
【図１】
2019030388.tif 000003
【図２】
2019030388.tif 000004
【図３】
2019030388.tif 000005
【図４】
2019030388.tif 000006
【図５】
2019030388.tif 000007